(57)【要約】【課題】ディスプレイパネルの駆動装置を提供する。【解決手段】 相互平行に延びたＹ電極及びＸ電極と、Ｙ電極及びＸ電極に交差するように延びたＡ電極とを備えるディスプレイパネルにおいて、第１電圧をＸ電極に出力する第１電圧印加部と、接地電圧をＸ電極に出力する接地電圧印加部とを備える維持パルス印加部と、第２電圧をＸ電極に出力する第２電圧印加部と、Ｘ電極と接地との間に連結されて維持パルス印加部及び第２電圧印加部の寄生キャパシタンス及びインダクタンス成分による共振周波数を低減させる周波数低減部と、を備えることを特徴とするディスプレイパネルの駆動装置である。【選択図】図１
2006209125.tif 000002
【特許請求の範囲】
【請求項１】
相互平行に延びたＹ電極及びＸ電極と、前記Ｙ電極及びＸ電極に交差するように延びたＡ電極とを備えるパネルに対して、
第１電圧を前記Ｘ電極に出力する第１電圧印加部と、接地電圧を前記Ｘ電極に出力する接地電圧印加部とを備える維持パルス印加部と、
第２電圧を前記Ｘ電極に出力する第２電圧印加部と、
前記Ｘ電極と接地との間に連結されて前記維持パルス印加部及び前記第２電圧印加部の寄生キャパシタンス及びインダクタンス成分による共振周波数を低減させる周波数低減部と、を備えることを特徴とするディスプレイパネルの駆動装置。
【請求項２】
前記周波数低減部は、
第１キャパシタを備えることを特徴とする請求項１に記載のディスプレイパネルの駆動装置。
【請求項３】
前記第１キャパシタは、
キャパシタンスが１ｎＦないし２ｎＦであることを特徴とする請求項２に記載のディスプレイパネルの駆動装置。
【請求項４】
前記第１電圧印加部は、一端が第１電圧源に連結され、他端が前記Ｘ電極に連結された第１スイッチング素子を備え、前記接地電圧印加部は、一端が接地に連結され、他端が前記Ｘ電極に連結された第２スイッチング素子を備え、
前記維持パルス印加部は、前記第１スイッチング素子及び第２スイッチング素子が交互にターンオンされて前記Ｘ電極に維持パルスが印加されることを特徴とする請求項１に記載のディスプレイパネルの駆動装置。
【請求項５】
前記第２電圧印加部は、
一端が第２電圧源に連結され、他端が前記Ｘ電極に連結される第３スイッチング素子を備え、
前記第３スイッチング素子がターンオンされて前記第２電圧を前記Ｘ電極に出力することを特徴とする請求項１に記載のディスプレイパネルの駆動装置。
【請求項６】
前記ディスプレイパネルの駆動装置は、
前記Ｘ電極に連結され、前記パネル内に電荷を蓄積するか、または前記パネル内の電荷を保存するエネルギー回収部をさらに備え、
前記周波数低減部は、前記維持パルス印加部、第２電圧印加部及びエネルギー回収部の寄生キャパシタンス及びインダクタンス成分による共振周波数を低減させることを特徴とする請求項１に記載のディスプレイパネルの駆動装置。
【請求項７】
前記エネルギー回収部は、
前記パネル内の電荷を保存するエネルギー保存部と、
前記エネルギー保存部に連結され、前記エネルギー保存部に保存された電荷をパネル内に蓄積するか、または前記パネル内の電荷を前記エネルギー保存部に保存することを制御するエネルギー回収スイッチング部と、
一端が前記エネルギー回収スイッチング部に連結され、他端が前記Ｘ電極に連結されたインダクタと、を備えることを特徴とする請求項６に記載のディスプレイパネルの駆動装置。
【請求項８】
前記エネルギー回収スイッチング部は、
一端が前記エネルギー保存部に連結され、他端が前記インダクタに連結された第４スイッチング素子及び第５スイッチング素子を備え、
前記第４スイッチング素子がターンオンされれば、前記パネル内の電荷を前記エネルギー保存部に保存し、前記第５スイッチング素子がターンオンされれば、前記エネルギー保存部に保存された電荷を前記パネル内に蓄積することを特徴とする請求項７に記載のディスプレイパネルの駆動装置。
【請求項９】
前記エネルギー保存部は、
第２キャパシタを備えることを特徴とする請求項８に記載のディスプレイパネルの駆動装置。
【請求項１０】
相互平行に延びたＹ電極及びＸ電極と、前記Ｙ電極及びＸ電極に交差するように延びたＡ電極とを備えるパネルに対して、
第１電圧及び接地電圧を第１ノードにそれぞれ出力する第１電圧印加部及び接地電圧印加部を備える維持パルス印加部と、
前記第１ノードと第２ノードとの間に連結され、第６スイッチング素子を備える第１スイッチング部と、
前記第１電圧を第３電圧まで徐々に上昇させて前記第２ノードに出力する第３電圧印加部と、
前記第１電圧を第４電圧まで徐々に下降させて前記第２ノードに出力する第４電圧印加部と、
互に直列連結された第１走査スイッチング素子及び第２走査スイッチング素子を備え、  前記第１走査スイッチング素子と第２走査スイッチング素子との間が前記Ｙ電極に連結された走査スイッチング部と、
前記第１走査スイッチング素子に連結され、第５電圧を出力する第５電圧印加部と、
前記第２ノードと前記第２走査スイッチング素子との間に連結され、第６電圧を出力する第６電圧印加部と、
前記第２走査スイッチング素子と接地との間に連結され、前記維持パルス印加部、第１スイッチング部、走査スイッチング部、及び第３電圧印加部ないし第６電圧印加部の寄生キャパシタンス及びインダクタンス成分による共振周波数を低減させる周波数低減部と、を備えることを特徴とするディスプレイパネルの駆動装置。
【請求項１１】
前記周波数低減部は、
第３キャパシタを備えることを特徴とする請求項１０に記載のディスプレイパネルの駆動装置。
【請求項１２】
前記第３キャパシタは、
キャパシタンスが１ｎＦないし２ｎＦであることを特徴とする請求項１１に記載のディスプレイパネルの駆動装置。
【請求項１３】
前記第１電圧印加部は、一端が第１電圧源に連結され、他端が前記第１ノードに連結された第７スイッチング素子を備え、前記接地電圧印加部は、一端が接地に連結され、他端が前記第１ノードに連結された第８スイッチング素子を備え、
前記維持パルス印加部は、前記第７スイッチング素子及び第８スイッチング素子が交互にターンオンされて前記第１ノードに維持パルスを出力することを特徴とする請求項１０に記載のディスプレイパネルの駆動装置。
【請求項１４】
前記第３電圧印加部は、
一端が前記第１ノードに連結され、他端は第３電圧源に連結された第４キャパシタと、前記第３電圧源と前記第２ノードとの間に連結された第９スイッチング素子とを備え、
前記第６スイッチング素子がターンオフされ、前記第７スイッチング素子及び第９スイッチング素子がターンオンされて前記第１電圧を第３電圧ほど徐々に上昇させて前記第２ノードに出力することを特徴とする請求項１０に記載のディスプレイパネルの駆動装置。
【請求項１５】
前記第４電圧印加部は、
一端が前記第２ノードに連結され、他端は第４電圧源に連結された第１０スイッチング素子を備え、
前記第６スイッチング素子、第７スイッチング素子及び第１０スイッチング素子がターンオンされて前記第１電圧を第４電圧まで徐々に下降させて前記第２ノードに出力することを特徴とする請求項１０に記載のディスプレイパネルの駆動装置。
【請求項１６】
第６電圧印加部は、
前記第２ノードと第５電圧源との間に連結された第１１スイッチング素子を備え、
前記第１１スイッチング素子がターンオンされて前記第２ノードに前記第６電圧を出力することを特徴とする請求項１０に記載のディスプレイパネルの駆動装置。
【請求項１７】
前記第１走査スイッチング素子がターンオンされ、前記第２走査スイッチング素子がターンオフされて前記第５電圧を前記Ｙ電極に出力し、
前記走査スイッチング部の第１走査スイッチング素子がターンオフされ、第２走査スイッチがターンオンされて前記第２ノードに出力された各電圧を前記Ｙ電極に出力することを特徴とする請求項１０に記載のディスプレイパネルの駆動装置。
【請求項１８】
前記ディスプレイパネルの駆動装置は、
前記Ｙ電極に連結され、前記パネル内に電荷を蓄積するか、または前記パネル内の電荷を保存するエネルギー回収部をさらに備え、
前記周波数低減部は、前記維持パルス印加部、第１スイッチング部、走査スイッチング部、第３電圧印加部ないし第６電圧印加部及びエネルギー回収部の寄生キャパシタンス及びインダクタンス成分による共振周波数を低減させることを特徴とする請求項１０に記載のディスプレイパネルの駆動装置。
【請求項１９】
前記エネルギー回収部は、
前記パネル内の電荷を保存するエネルギー保存部と、
前記エネルギー保存部に連結され、前記エネルギー保存部に保存された電荷をパネル内に蓄積するか、または前記パネル内の電荷を前記エネルギー保存部に保存することを制御するエネルギー回収スイッチング部と、
一端が前記エネルギー回収スイッチング部に連結され、他端が前記Ｙ電極に連結されたインダクタと、を備えることを特徴とする請求項１８に記載のディスプレイパネルの駆動装置。
【請求項２０】
前記エネルギー回収スイッチング部は、
一端が前記エネルギー保存部に連結され、他端が前記インダクタに連結された第１２スイッチング素子及び第１３スイッチング素子を備え、
前記第１２スイッチング素子がターンオンされれば、前記パネル内の電荷を前記エネルギー保存部に保存し、前記第１３スイッチング素子がターンオンされれば、前記エネルギー保存部に保存された電荷を前記パネル内に蓄積することを特徴とする請求項１９に記載のディスプレイパネルの駆動装置。
【請求項２１】
前記エネルギー保存部は、
第５キャパシタを備えることを特徴とする請求項２０に記載のディスプレイパネルの駆動装置。
【発明の詳細な説明】
【技術分野】
【０００１】
本発明は、ディスプレイパネルの駆動装置に係り、さらに詳細には、プラズマディスプレイパネルを駆動するためのプラズマディスプレイパネルの駆動装置に関する。
【背景技術】
【０００２】
最近、大型平板ディスプレイ装置として注目されているプラズマディスプレイパネル（Plasma Display Panel：ＰＤＰ）は、複数個の電極が形成された二つの基板間に放電ガスが封じ込まれた後、放電電圧が加えられ、これにより発生する紫外線によって所定のパターンで形成された蛍光体が励起されて所望の画像を得る装置である。
【０００３】
すなわち、複数個の電極に駆動信号が印加されて複数個の電極によって形成される各放電セルで放電が行われる。印加される駆動信号によりターンオンされねばならない放電セルが選択され、また選択された放電セルで維持放電が行われる。選択された放電セルで維持放電が行われるように印加される駆動信号を維持パルスと称す。維持パルスは、所定の電圧とグラウンド電圧とを交互に有し、維持パルスの印加期間によって輝度が決定される。
【０００４】
一方、ＰＤＰの電極に印加される維持パルスが所定の電圧とグラウンド電圧とを交互に有するので、周期的にピーク電流が発生する。このようなピーク電流は、パネル内部で維持放電が行われる間に発生し続け、これにより電磁波が発生する。一般的に、電磁波は、周期性が大きいほど、時間に対する電圧の変化量が大きいほど、時間に対する電流変化量が大きいほど、大きくなる。ＰＤＰの維持放電時には、維持パルスが周期的に印加され、電流、電圧変化量が大きいので、これにより発生する電磁波の影響が大きくなる。このような電磁波は、ＰＤＰはもとより、パネルを駆動するためのＰＤＰの駆動装置にも影響を及ぼす。
【０００５】
このような電磁波からの影響を最小化するために、多様な努力が試みられており、その努力として維持パルスの周波数を一定でなくする方法があるが、それは、維持放電が一定でなく行われて輝度に影響を与えるという問題点がある。他の方法として、ＰＤＰの駆動装置で各種電圧を印加するようにスイッチングを行う各スイッチング素子の両端にキャパシタを追加して、スイッチング素子のスイッチング時に発生する高周波ノイズを除去して電磁波障害（Electro Magnetic Interference：ＥＭＩ）を除去しようとしている。しかし、追加されるキャパシタのキャパシタンスが過度に大きい場合には、出力される波形が歪曲されるか、またはスイッチング素子の発熱量が増加するという問題点があり、各スイッチング素子ごとにキャパシタを追加せねばならないので、これによるコスト上昇の問題点が発生する。
【発明の開示】
【発明が解決しようとする課題】
【０００６】
本発明は、前記問題点を含んで色々な問題点を解決するためのものであって、ディスプレイパネルのＥＭＩを低減させるディスプレイパネルの駆動装置を提供することを目的とする。
【課題を解決するための手段】
【０００７】
前記目的及びその他の色々な目的を達成するために、本発明は、相互平行に延びたＹ電極及びＸ電極と、Ｙ電極及びＸ電極に交差するように延びたＡ電極とを備えるパネルに対して、第１電圧をＸ電極に出力する第１電圧印加部と、接地電圧をＸ電極に出力する接地電圧印加部とを備える維持パルス印加部と、第２電圧をＸ電極に出力する第２電圧印加部と、Ｘ電極と接地との間に連結されて維持パルス印加部及び第２電圧印加部の寄生キャパシタンス及びインダクタンス成分による共振周波数を低減させる周波数低減部と、を備えることを特徴とするディスプレイパネルの駆動装置を提供する。
【０００８】
このような本発明の他の特徴によれば、周波数低減部は、第１キャパシタを備えうる。
【０００９】
このような本発明のさらに他の特徴によれば、第１キャパシタは、キャパシタンスが１ｎＦないし２ｎＦであることが望ましい。
【００１０】
このような本発明のさらに他の特徴によれば、第１電圧印加部は、一端が第１電圧源に連結され、他端がＸ電極に連結された第１スイッチング素子を備え、接地電圧印加部は、一端が接地に連結され、他端がＸ電極に連結された第２スイッチング素子を備え、維持パルス印加部は、第１スイッチング素子及び第２スイッチング素子が交互にターンオンされてＸ電極に維持パルスが印加されうる。
【００１１】
このような本発明の他の特徴によれば、第２電圧印加部は、一端が第２電圧源に連結され、他端がＸ電極に連結される第３スイッチング素子を備え、第３スイッチング素子がターンオンされて第２電圧をＸ電極に出力できる。
【００１２】
このような本発明のさらに他の特徴によれば、ディスプレイパネルの駆動装置は、Ｘ電極に連結され、パネル内に電荷を蓄積するか、またはパネル内の電荷を保存するエネルギー回収部をさらに備え、周波数低減部は、維持パルス印加部、第２電圧印加部及びエネルギー回収部の寄生キャパシタンス及びインダクタンス成分による共振周波数を低減できる。
【００１３】
このような本発明のさらに他の特徴によれば、エネルギー回収部は、パネル内の電荷を保存するエネルギー保存部と、エネルギー保存部に連結され、エネルギー保存部に保存された電荷をパネル内に蓄積するか、またはパネル内の電荷をエネルギー保存部に保存することを制御するエネルギー回収スイッチング部と、一端がエネルギー回収スイッチング部に連結され、他端がＸ電極に連結されたインダクタと、を備えうる。
【００１４】
このような本発明のさらに他の特徴によれば、エネルギー回収スイッチング部は、一端がエネルギー保存部に連結され、他端がインダクタに連結された第４スイッチング素子及び第５スイッチング素子を備え、第４スイッチング素子がターンオンされれば、パネル内の電荷をエネルギー保存部に保存し、第５スイッチング素子がターンオンされれば、エネルギー保存部に保存された電荷をパネル内に蓄積できる。
【００１５】
このような本発明のさらに他の特徴によれば、エネルギー保存部は、第２キャパシタを備えうる。
【００１６】
本発明はまた、前述した目的を達成するために、相互平行に延びたＹ電極及びＸ電極と、Ｙ電極及びＸ電極に交差するように延びたＡ電極とを備えるパネルに対して、第１電圧及び接地電圧を第１ノードにそれぞれ出力する第１電圧印加部及び接地電圧印加部を備える維持パルス印加部と、第１ノードと第２ノードとの間に連結され、第６スイッチング素子を備える第１スイッチング部と、第１電圧を第３電圧まで徐々に上昇させて第２ノードに出力する第３電圧印加部と、第１電圧を第４電圧まで徐々に下降させて第２ノードに出力する第４電圧印加部と、互いに直列連結された第１走査スイッチング素子及び第２走査スイッチング素子を備え、第１走査スイッチング素子と第２走査スイッチング素子との間がＹ電極に連結された走査スイッチング部と、第１走査スイッチング素子に連結され、第５電圧を出力する第５電圧印加部と、第２ノードと前記第２走査スイッチング素子との間に連結され、第６電圧を出力する第６電圧印加部と、第２走査スイッチング素子と接地との間に連結され、維持パルス印加部、第１スイッチング部、走査スイッチング部、及び第３電圧印加部ないし第６電圧印加部の寄生キャパシタンス及びインダクタンス成分による共振周波数を低減させる周波数低減部と、を備えることを特徴とするディスプレイパネルの駆動装置を提供する。
【００１７】
このような本発明の他の特徴によれば、周波数低減部は、第３キャパシタを備えうる。
【００１８】
このような本発明のさらに他の特徴によれば、第３キャパシタは、キャパシタンスが１ｎＦないし２ｎＦであることが望ましい。
【００１９】
このような本発明のさらに他の特徴によれば、第１電圧印加部は、一端が第１電圧源に連結され、他端が第１ノードに連結された第７スイッチング素子を備え、接地電圧印加部は、一端が接地に連結され、他端が第１ノードに連結された第８スイッチング素子を備え、維持パルス印加部は、第７スイッチング素子及び第８スイッチング素子が交互にターンオンされて第１ノードに維持パルスを出力できる。
【００２０】
このような本発明のさらに他の特徴によれば、第３電圧印加部は、一端が第１ノードに連結され、他端は第３電圧源に連結された第４キャパシタと、第３電圧源と第２ノードとの間に連結された第９スイッチング素子と、を備え、第６スイッチング素子がターンオフされ、第７スイッチング素子及び第９スイッチング素子がターンオンされて第１電圧を第３電圧ほど徐々に上昇させて第２ノードに出力できる。
【００２１】
このような本発明のさらに他の特徴によれば、第４電圧印加部は、一端が第２ノードに連結され、他端は第４電圧源に連結された第１０スイッチング素子を備え、第６スイッチング素子、第７スイッチング素子及び第１０スイッチング素子がターンオンされて第１電圧を第４電圧まで徐々に下降させて第２ノードに出力できる。
【００２２】
このような本発明のさらに他の特徴によれば、第６電圧印加部は、第２ノードと第５電圧源との間に連結された第１１スイッチング素子を備え、第１１スイッチング素子がターンオンされて第２ノードに第６電圧を出力できる。
【００２３】
このような本発明のさらに他の特徴によれば、第１走査スイッチング素子がターンオンされ、第２走査スイッチング素子がターンオフされて第５電圧を前記Ｙ電極に出力し、走査スイッチング部の第１走査スイッチング素子がターンオフされ、第２走査スイッチング素子がターンオンされて第２ノードに出力された各電圧をＹ電極に出力できる。
【００２４】
このような本発明のさらに他の特徴によれば、ディスプレイパネルの駆動装置は、Ｙ電極に連結され、パネル内に電荷を蓄積するか、またはパネル内の電荷を保存するエネルギー回収部をさらに備え、周波数低減部は、維持パルス印加部、第１スイッチング部、第３電圧印加部、走査スイッチング部、第４電圧印加部、第５電圧印加部及びエネルギー回収部の寄生キャパシタンス及びインダクタンス成分による共振周波数を低減できる。
【００２５】
このような本発明のさらに他の特徴によれば、エネルギー回収部は、パネル内の電荷を保存するエネルギー保存部と、エネルギー保存部に連結され、エネルギー保存部に保存された電荷をパネル内に蓄積するか、またはパネル内の電荷をエネルギー保存部に保存することを制御するエネルギー回収スイッチング部と、一端がエネルギー回収スイッチング部に連結され、他端がＹ電極に連結されたインダクタと、を備えうる。
【００２６】
このような本発明のさらに他の特徴によれば、エネルギー回収スイッチング部は、一端がエネルギー保存部に連結され、他端がインダクタに連結された第１２スイッチング素子及び第１３スイッチング素子を備え、第１２スイッチング素子がターンオンされれば、パネル内の電荷をエネルギー保存部に保存し、第１３スイッチング素子がターンオンされれば、エネルギー保存部に保存された電荷をパネル内に蓄積できる。
【００２７】
このような本発明のさらに他の特徴によれば、エネルギー保存部は、第５キャパシタを備えうる。
【発明の効果】
【００２８】
本発明のよれば、次のような効果が得られる。
【００２９】
第一に、本発明のディスプレイパネルの駆動装置内の周波数低減部は、駆動装置内の寄生キャパシタンス及びインダクタンス成分によって発生する共振周波数の周波数を低減できる。
【００３０】
第二に、周波数低減部は、ディスプレイパネルと接地との間に備えられるので、簡単に具現でき、コスト低減の効果がある。
【発明を実施するための最良の形態】
【００３１】
以下、添付された図面を参照して本発明の実施形態について詳細に説明する。
【００３２】
図１は、本発明の駆動装置によって駆動されるＰＤＰの構造の一実施形態を示す図面である。
【００３３】
図面を参照して説明すれば、ＰＤＰの第１基板１００と第２基板１０６との間には、Ａ電極Ａ１，．．．，Ａｍ、第１及び第２誘電体層１０２，１１０、Ｙ電極Ｙ１，．．．，Ｙｎ、Ｘ電極Ｘ１，．．．，Ｘｎ、蛍光体層１１２、隔壁１１４及び一酸化マグネシウム（ＭｇＯ）保護層１０４が設けられている。
【００３４】
Ａ電極Ａ１，．．．，Ａｍは、第１基板１００方向に第２基板１０６上に一定のパターンで形成される。第２誘電体層１１０は、Ａ電極Ａ１，．．．，Ａｍを覆うように塗布される。第２誘電体層１１０上には、隔壁１１４がＡ電極Ａ１，．．．，Ａｍと平行な方向に形成される。この隔壁１１４は、各放電セルの放電領域を区画し、各放電セル間の光学的干渉を防止する機能を行う。蛍光体層１１２は、隔壁１１４の間でＡ電極Ａ１，．．．，Ａｍ上の第２誘電体層１１０上に塗布され、順次に赤色発光蛍光体層、緑色発光蛍光体層、青色発光蛍光体層が配置される。
【００３５】
Ｘ電極Ｘ１，．．．，Ｘｎ及びＹ電極Ｙ１，．．．，Ｙｎは、Ａ電極Ａ１，．．．，Ａｍと直交するように第２基板１０６方向に第１基板１００上に一定のパターンで形成される。各交差点は、相応する放電セルを設定する。各Ｘ電極Ｘ１，．．．，Ｘｎ及び各Ｙ電極Ｙ１，．．．，Ｙｎは、ＩＴＯ（Indium Tin Oxide）のような透明な導電性材質の透明電極Ｘｎａ，Ｙｎａと伝導度を高めるための金属電極Ｘｎｂ，Ｙｎｂとが結合されて形成されうる。第１誘電体層１０２は、Ｘ電極Ｘ１，．．．，Ｘｎ及びＹ電極Ｙ１，．．．，Ｙｎを覆うように全面塗布されて形成される。強い電界からパネルを保護するための保護層１０４、例えば、ＭｇＯ層は、第１誘電体層１０２を覆うように全面塗布されて形成される。放電空間１０８には、プラズマ形成用ガスが密封される。
【００３６】
一方、本発明の駆動装置によって駆動されるＰＤＰは、図１に示されたものに限定されない。
【００３７】
図２は、図１のＰＤＰの電極配置を簡略に示す図面である。
【００３８】
図面を参照して説明すれば、Ｙ電極Ｙ１，．．．，ＹｎとＸ電極Ｘ１，．．．，Ｘｎとが平行に配置され、Ａ電極Ａ１，．．．，Ａｍは、Ｙ電極Ｙ１，．．．，Ｙｎ及びＸ電極Ｘ１，．．．，Ｘｎに交差するように配置され、交差される領域は、放電セルＣｅを区画する。
【００３９】
図３は、図１のＰＤＰを駆動するためのＰＤＰの駆動装置を簡略に示すブロック図である。
【００４０】
図面を参照すれば、ＰＤＰの駆動装置は、画像処理部１００、論理制御部１０２、Ｙ駆動部１０４、アドレス駆動部１０６、Ｘ駆動部１０８及びＰＤＰ １を備える。画像処理部１００は、外部からの外部画像信号を変換して内部画像信号として出力し、論理制御部１０２は、内部画像信号を入力されてそれぞれ、アドレス駆動制御信号ＳＡ、Ｙ駆動制御信号ＳＹ及びＸ駆動制御信号ＳＸを出力し、Ｙ駆動部１０４、アドレス駆動部１０６及びＸ駆動部１０８は、それぞれ駆動制御信号を入力されてＰＤＰ １のＹ電極、Ａ電極及びＸ電極それぞれに駆動信号を出力する。
【００４１】
図４は、図３の各駆動部から出力する駆動信号の一実施形態を示すタイミング図である。
【００４２】
図４を参照して説明すれば、一旦、ＰＤＰ（図３の１）を駆動するための単位フレームは、複数個のサブフィールドに分けられ、各サブフィールドＳＦは、リセット期間ＰＲ、アドレス期間ＰＡ及び維持期間ＰＳに分けられる。
【００４３】
まず、リセット期間ＰＲには、Ｙ電極Ｙ１，．．．，Ｙｎに立ち上がりパルス及び立ち下がりパルスからなるリセットパルスが印加され、Ｘ電極Ｘ１，．．．，Ｘｎには、立ち下がりパルスの印加時から第２電圧Ｖｂが印加されてリセット放電が行われる。リセット放電によって全体放電セルを初期化する。立ち上がりパルスは、第１電圧Ｖｓから第３電圧Ｖｓｅｔほど立ち上がって最終的に立ち上がり最高電圧Ｖｓｅｔ＋Ｖｓに到達し、立ち下がりパルスは、第１電圧Ｖｓから立ち下がって最終的に第４電圧Ｖｎｆに到達する。
【００４４】
アドレス期間ＰＡには、Ｙ電極Ｙ１，．．．，Ｙｎに走査パルスが順次に印加され、Ａ電極Ａ１，．．．，Ａｍには、前記走査パルスに合せて表示データ信号が印加されてアドレス放電が行われる。アドレス放電によって維持期間ＰＳで発生する維持放電が行われる放電セルが選択される。走査パルスは、第５電圧Ｖｓｃｈを有して順次に第５電圧Ｖｓｃｈより電圧が低い第６電圧Ｖｓｃｌを有し、表示データ信号は、走査パルスの第６電圧Ｖｓｃｌの印加時に合せて正極性のアドレス電圧Ｖａを有する。
【００４５】
維持期間ＰＳでは、Ｘ電極Ｘ１，．．．，Ｘｎ及びＹ電極 Ｙ１，．．．，Ｙｎに維持パルスが交互に印加されて維持放電が行われる。維持放電によって各サブフィールドごとに割当てられた階調加重値によって輝度が表現される。維持パルスは、第１電圧Ｖｓとグラウンド電圧Ｖｇとを交互に有する。
【００４６】
一方、図４に示されたものと異なる駆動信号が図３の各駆動部から出力されてもよく、図４に示されたものに限定されるものではない。
【００４７】
図５は、本発明のＰＤＰの駆動装置の一実施形態であって、Ｘ駆動部を示す回路図である。
【００４８】
図４及び図５を参照して説明すれば、本発明のＰＤＰの駆動装置は、Ｘ電極（Ｃｐの第１端）に駆動信号を出力するために、第１電圧Ｖｓを出力する第１電圧印加部５０１と接地電圧Ｖｇを出力する接地電圧印加部５０３とを備える維持パルス印加部５０と、第２電圧Ｖｂを出力する第２電圧印加部５０５と、パネル内に電荷を蓄積するか、またはパネル内の電荷を保存するエネルギー回収部５２と、前記維持パルス印加部５０、第２電圧印加部５０５及びエネルギー回収部５２での寄生キャパシタンス及びインダクタンス成分による共振周波数を低減させる周波数低減部５０７と、を備える。
【００４９】
第１電圧印加部５０１は、一端が第１電圧源Ｖｓに連結され、他端がパネルのＸ電極（Ｃｐの第１端）に連結された第１スイッチング素子Ｓ１を備える。接地電圧印加部５０３は、一端が接地に連結され、他端がパネルのＸ電極（Ｃｐの第１端）に連結された第２スイッチング素子Ｓ２を備える。第１電圧印加部５０１と接地電圧印加部５０３とを備える維持パルス印加部５０は、維持パルスを発生させるために第１スイッチング素子Ｓ１と第２スイッチング素子Ｓ２とが交互にターンオンされる。
【００５０】
第２電圧印加部５０５は、一端が第２電圧源Ｖｂに連結され、他端がパネルのＸ電極（Ｃｐの第１端）に連結される第３スイッチング素子Ｓ３を備える。第３スイッチング素子Ｓ３がターンオンされて第２電圧ＶｂをパネルのＸ電極（Ｃｐの第１端）に出力する。
【００５１】
エネルギー回収部５２は、パネルＣｐ内の電荷を保存するエネルギー保存部５２０と、エネルギー保存部５２０に連結され、エネルギー保存部５２０に保存された電荷をパネルＣｐ内に蓄積するか、またはパネルＣｐ内の電荷をエネルギー保存部５２０に保存することを制御するエネルギー回収スイッチング部５２２と、一端がエネルギー回収スイッチング部５２２とに連結され、他端がパネルのＸ電極（Ｃｐの第１端）に連結されたインダクタＬ１を備える。
【００５２】
エネルギー保存部５２０は、パネル内の電荷を保存するようにキャパシタＣ２を備えうる。
【００５３】
エネルギー回収スイッチング部５２２は、一端がエネルギー保存部５２０に連結され、他端がインダクタＬ１に連結された第４スイッチング素子Ｓ４と第５スイッチング素子Ｓ５とを備え、第４スイッチング素子Ｓ４と第５スイッチング素子Ｓ５との間に方向の異なる二つの第１及び第２ダイオードＤ１，Ｄ２が連結されうる。
【００５４】
エネルギー回収部５２の動作を説明すれば、エネルギー回収スイッチング部５２２のうち第５スイッチング素子Ｓ５がターンオンされれば、パネル内の電荷がインダクタＬ１と、第２ダイオードＤ２及び、第５スイッチング素子Ｓ５を経て、第２キャパシタＣ２に保存される。エネルギー回収スイッチング部５２２のうち第４スイッチング素子Ｓ４がターンオンされれば、第２キャパシタＣ２に保存された電荷が第４スイッチング素子Ｓ４と、第１ダイオードＤ１及び、インダクタＬ２を経て、パネルＣｐ内に蓄積される。
【００５５】
周波数低減部５０７は、パネルのＸ電極（Ｃｐの第１端）と接地との間に連結され、第１キャパシタＣｐを備える。第１スイッチング素子ないし第５スイッチング素子Ｓ１〜Ｓ５は、図面に示したように、電界効果トランジスタ（Field Effect Transistor：ＦＥＴ）によって構成されうる。各ＦＥＴは、ドレイン端子とソース端子との間に寄生キャパシタンスを有しており、各ＦＥＴに接続される配線は、インダクタンス成分を有している。またエネルギー回収スイッチング部５２２の第１及び第２ダイオードＤ１，Ｄ２もアノード端子とカソード端子との間に寄生キャパシタンスを有しており、各ダイオードに接続される配線は、インダクタンス成分を有する。したがって、維持パルス印加部５０、第２電圧印加部５０５及びエネルギー回収部５２の第１スイッチング素子ないし第５スイッチング素子Ｓ１〜Ｓ５及び、第１ダイオードＤ１と第２ダイオードＤ２の寄生キャパシタンス及びインダクタンス成分によってＬＣ共振が発生し、この共振によって不要な電磁波が発生する。しかし、周波数低減部５０７の第１キャパシタＣ１によって、駆動装置内の総キャパシタンスが増大し、総キャパシタンスの増大によって共振周波数が低減し、不要な電磁波の発生が低減する。一方、第１キャパシタＣ１のキャパシタンスが過度に大きい場合には、パネルの維持電極（Ｃｐの第１端）に出力される波形が歪曲されるか、またはスイッチング素子の発熱量が増加することもあるので、第１キャパシタＣｐのキャパシタンスは、１ｎＦないし２ｎＦであることが望ましい。
【００５６】
図６は、本発明のＰＤＰの駆動装置の他の実施形態であって、Ｙ駆動部を示す回路図である。
【００５７】
図４及び図６を参照して説明すれば、本発明のＰＤＰの駆動装置は、Ｙ電極（Ｃｐの第２端）に駆動信号を出力するために、第１電圧Ｖｓを第１ノードＮ１に出力する第１電圧印加部６０１と接地電圧を第１ノードＮ１に出力する接地電圧印加部６０３とを備える維持パルス印加部６０と、一端が第１ノードＮ１に連結され、他端は第２ノードＮ２に連結された第６スイッチング素子Ｓ６を備える第１スイッチング部６０５と、第１ノードＮ１と第２ノードＮ２との間に連結され、第１電圧Ｖｓを第３電圧Ｖｓｅｔほど徐々に上昇させて第２ノードＮ２に出力する第３電圧印加部６０７と、第２ノードＮ２に連結され、第１電圧Ｖｓを第４電圧Ｖｎｆまで徐々に下降させて第２ノードＮ２に出力する第４電圧印加部６０９と、互いに直列連結された第１走査スイッチング素子ＳＣ１及び第２走査スイッチング素子ＳＣ２を備え、第１走査スイッチング素子ＳＣ１と第２走査スイッチング素子ＳＣ２との間がパネルのＹ電極（Ｃｐの第２端）に連結された走査スイッチング部６１１と、第５電圧源Ｖｓｃｈを備え、第１走査スイッチング素子ＳＣ１に連結されて第１走査スイッチング素子ＳＣ１に第５電圧Ｖｓｃｈを出力する第５電圧印加部６１３と、第２ノードＮ２及び第２走査スイッチング素子ＳＣ２に連結されて第６電圧Ｖｓｃｌを出力する第６電圧印加部６１５と、パネルＣｐ内に電荷を蓄積するか、またはパネルＣｐ内の電荷を保存するエネルギー回収部６２と、第２走査スイッチング素子ＳＣ２と接地との間に連結されて維持パルス印加部６０１、第１スイッチング部６０５、第３電圧印加部６０７、走査スイッチング部６１１、第４電圧印加部６０９、第５電圧印加部６１３及び第６電圧印加部６１５の寄生キャパシタンス及びインダクタンス成分による共振周波数を低減させる周波数低減部６１７と、を備える。
【００５８】
第１電圧印加部６０１は、一端が第１電圧源Ｖｓに連結され、他端が第１ノードＮ１に連結された第７スイッチング素子Ｓ７を備える。接地電圧印加部６０３は、一端が接地に連結され、他端が第１ノードＮ１に連結された第８スイッチング素子Ｓ８を備える。第１電圧印加部６０１及び接地電圧印加部６０３を備える維持パルス印加部６０は、維持パルスを発生させるために第７スイッチング素子Ｓ７と第８スイッチング素子Ｓ８とが交互にターンオンされる。
【００５９】
第３電圧印加部６０７は、一端が第１ノードＮ１に連結され、他端は第３電圧源Ｖｓｅｔに連結された第４キャパシタＣ４と、第３電圧源Ｖｓｅｔと第２ノードＮ２との間に連結された第９スイッチング素子Ｓ９とを備える。第１スイッチング部６０５の第６スイッチング素子Ｓ６がターンオフされ、第１電圧印加部６０１の第７スイッチング素子Ｓ７及び第３電圧印加部６０７の第９スイッチング素子Ｓ９がターンオンされて第１電圧Ｖｓから第３電圧Ｖｓｅｔまで徐々に立ち上がった電圧が第２ノードＮ２に出力される。
【００６０】
第４電圧印加部６０９は、一端が第２ノードＮ２に連結され、他端が第４電圧源Ｖｎｆに連結された第１０スイッチング素子Ｓ１０を備える。第１電圧印加部６０１の第７スイッチング素子Ｓ７、第１スイッチング部６０５の第６スイッチング素子Ｓ６及び第４電圧印加部６０９の第１０スイッチング素子Ｓ１０がターンオンされて第１電圧Ｖｓから第４電圧Ｖｎｆまで徐々に立ち下がった電圧が第２ノードＮ２に出力される。
【００６１】
第６電圧印加部６１５は、第２ノードＮ２と第６電圧源Ｖｓｃｌとの間に連結された第１１スイッチング素子Ｓ１１を備える。第１１スイッチング素子Ｓ１１がターンオンされて第２ノードＮ２に第６電圧Ｖｓｃｌを出力する。
【００６２】
走査スイッチング部６１１の第１走査スイッチング素子ＳＣ１がターンオンされ、第２走査スイッチング素子ＳＣ２がターンオフされれば、第５電圧ＶｓｃｈがＹ電極（Ｃｐの第２端）に出力される。一方、走査スイッチング部の第１走査スイッチング素子ＳＣ１がターンオフされ、第２走査スイッチング素子ＳＣ２がターンオンされれば、第２ノードＮ２に出力された各電圧、すなわち、第１電圧Ｖｓ、接地電圧Ｖｇ、第１電圧から第３電圧まで立ち上がった電圧Ｖｓ＋Ｖｓｅｔ、第４電圧Ｖｎｆ、第６電圧ＶｓｃｌがＹ電極（Ｃｐの第２端）に出力される。
【００６３】
エネルギー回収部６２は、パネルＣｐ内の電荷を保存するエネルギー保存部６２０と、エネルギー保存部６２０に連結され、エネルギー保存部６２０に保存された電荷をパネルＣｐ内に蓄積するか、またはパネルＣｐ内の電荷をエネルギー保存部６２０に保存することを制御するエネルギー回収スイッチング部６２２と、一端がエネルギー回収スイッチング部６２２に連結され、他端が第１ノードＮ１に連結されたインダクタＬ２と、を備える。
【００６４】
エネルギー保存部６２０は、パネル内の電荷を保存するようにキャパシタＣ５を備えうる。
【００６５】
エネルギー回収スイッチング部６２２は、一端がエネルギー保存部６２０に連結され、他端がインダクタＬ２に連結された第１２スイッチング素子Ｓ１２と第１３スイッチング素子Ｓ１３とを備え、第１２スイッチング素子Ｓ１２と第１３スイッチング素子Ｓ１３との間に方向の異なる二つの第３、第４ダイオードＤ３，Ｄ４が連結されうる。
【００６６】
エネルギー回収部６２の動作を説明するために、一旦第１スイッチング部６０５の第６スイッチング素子Ｓ６と、走査スイッチング部６１１の第２走査スイッチング素子Ｓｃ２とがターンオンされた状態であると仮定する。エネルギー回収スイッチング部６２２のうち第１３スイッチング素子Ｓ１３がターンオンされれば、パネルＣｐ内の電荷がインダクタＬ２と、第４ダイオードＤ４及び、第１３スイッチング素子Ｓ１３を経て第５キャパシタＣ５に保存される。エネルギー回収スイッチング部６２２のうち第１２スイッチング素子Ｓ１２がターンオンされれば、第５キャパシタＣ５に保存された電荷が第１２スイッチング素子Ｓ１２と、第３ダイオードＤ３及び、インダクタＬ２を経てパネルＣｐ内に蓄積される。
【００６７】
周波数低減部６１７は、走査スイッチング部６１１の第２走査スイッチング素子ＳＣ２と接地との間に連結され、第３キャパシタＣ３を備える。一方、第６スイッチング素子ないし第１３スイッチング素子Ｓ６〜Ｓ１３は、図面に示したように、ＦＥＴによって構成されうる。各ＦＥＴは、ドレイン端子とソース端子との間に寄生キャパシタンスを有しており、各ＦＥＴに接続される配線は、インダクタンス成分を有している。また、エネルギー回収スイッチング部６２２の第３、第４ダイオードＤ３，Ｄ４もアノード端子とカソード端子との間に寄生キャパシタンスを有しており、各ダイオードＤ３，Ｄ４に接続される配線は、インダクタンス成分を有する。したがって、維持パルス印加部６０、第１スイッチング部６０５、第３電圧印加部６０７、走査スイッチング部６１１、第４電圧印加部６０９、第５電圧印加部６１３、第６電圧印加部６１５及びエネルギー回収部６２の第６スイッチング素子ないし第１３スイッチング素子Ｓ６〜Ｓ１３及び第３、第４ダイオードＤ３，Ｄ４の寄生キャパシタンス及びインダクタンス成分によってＬＣ共振が発生し、この共振によって不要な電磁波が発生する。しかし、周波数低減部６１７の第３キャパシタＣ３によって、駆動装置内の総キャパシタンスが増大し、総キャパシタンスの増大によって共振周波数が低減し、したがって、不要な電磁波は低減する。一方、第３キャパシタＣ３のキャパシタンスが過度に大きい場合には、パネルの走査電極（Ｃｐの第２端）に出力される波形が歪曲されるか、またはスイッチング素子の発熱量が増加することもあるので、第３キャパシタＣ３のキャパシタンスは、１ｎＦないし２ｎＦであることが望ましい。
【００６８】
本発明は、図面に示された実施形態を参考として説明されたが、これは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００６９】
本発明は、ＰＤＰ関連の技術分野に適用可能である。
【図面の簡単な説明】
【００７０】
【図１】本発明の駆動装置によって駆動されるＰＤＰの構造の一実施形態を示す図面である。
【図２】図１のＰＤＰの電極配置を簡略に示す図面である。
【図３】図１のＰＤＰを駆動するためのＰＤＰの駆動装置を簡略に示すブロック図である。
【図４】図３の各駆動部から出力する駆動信号の一実施形態を示すタイミング図である。
【図５】本発明のＰＤＰの駆動装置の一実施形態であって、Ｘ駆動部を示す回路図である。
【図６】本発明のＰＤＰの駆動装置の他の実施形態であって、Ｙ駆動部を示す回路図である。
【符号の説明】
【００７１】
１    ＰＤＰ
１００    第１基板
１０２    第１誘電体層
１０４    ＭｇＯ保護層
１０６    第２基板
１０８    放電空間
１１０    第２誘電体層
１１２    蛍光体層
１１４    隔壁
Ａ１，．．．，Ａｍ      Ａ電極
Ｙ１，．．．，Ｙｎ    Ｙ電極
Ｘ１，．．．，Ｘｎ      Ｘ電極
Ｘｎａ，Ｙｎａ     透明電極
Ｘｎｂ，Ｙｎｂ     金属電極 
【図１】
2006209125.tif 000003
【図２】
2006209125.tif 000004
【図３】
2006209125.tif 000005
【図４】
2006209125.tif 000006
【図５】
2006209125.tif 000007
【図６】
2006209125.tif 000008